(57)【要約】【課題】            送風ファンの風の吹出し部に設置する芳香装置の着脱作業を容易にするための構造に関する。【解決手段】        送風ファン１の風の吹出し部２には送風ファン１方向へ物の侵入を防ぐガード３を設け、このガード３に芳香剤４を収納した容器５を着脱自在に取付け、容器５には空気が流入する入口５ａと容器５内の空気が排出される開口５ｂとを形成して芳香装置を構成する。容器５にはガード３の表面に容器底部５ｃを配置するためのガード３へ向けて突出した係止部６を備え、ガード３は複数本の桟３ａによってその表面に湾曲面３ｂを形成し、容器底部５ｃの外面はガード３の表面と密着する同じ形状の湾曲面５ｄで構成する。前記係止部６は桟３ａの間に挿入される２枚の平板６ａで形成し、この平板６ａの先端には桟３ａ方向へ突出する係止片６ｂを設け、突出した係止片６ｂの両端が湾曲する桟３ａに当接し、係止片６ｂの中央部が桟３ａとは間隔を形成する。【選択図】          図１
2006070756.tif 000002
【特許請求の範囲】
【請求項１】
送風ファンの風の吹出し部にはこの送風ファン方向へ物の侵入を防ぐガードを設け、このガードに芳香剤を収納した容器を着脱自在に取付けると共に、その容器には空気が流入する入口と容器内の空気が排出される開口とを形成した芳香装置であって、
前記容器には前記ガードの表面に容器底部を配置するためのガードへ向けて突出した係止部を備え、
前記ガードは複数本の桟によってその表面に湾曲面を形成し、前記容器底部の外面は前記ガードの表面と密着する同じ形状の湾曲面で構成すると共に、
前記係止部は桟の間に挿入される２枚の平板で形成し、この平板の先端には桟方向へ突出する係止片を設け、
その突出した係止片の両端が湾曲する桟に当接し、係止片の中央部が桟とは間隔を形成したことを特徴とする送風ファンの吹出し部に設置する芳香装置。
【発明の詳細な説明】
【技術分野】
【０００１】
この発明は、送風ファンによって発生する風を吹出し部から吹出しする送風装置を備えた機器に設置する芳香装置に関するものである。
【背景技術】
【０００２】
送風ファンの吹出し部のガードに芳香剤を収納した容器を着脱自在に取付け、この容器に空気が流入する入口と容器内の空気が排出される開口とを形成し、容器の入口から流入した空気が開口から排出されるときに芳香剤の香りを放出させ、開口から放出される香りを送風ファンの風によって室内に拡散させる芳香装置の提案がある。
【０００３】
この容器にはガードの表面に容器底部を配置するための係止部を備えており、容器はこの係止部がガードに係合することでガードの表面に取付けられており、この係止部とガードとの係合を外すことでガードから容器を取外すことができるものである。
【０００４】
この芳香装置は、芳香剤を収納した容器を送風ファンの吹出し部から取外すことで簡単に芳香剤の交換や補充を行うことができるようになっており、また、送風装置に芳香剤の香りが付着しにくいため、容器を取外せば単機能の送風装置として運転できるものであり、使い勝手のよい芳香装置を実現できたものである（特許文献１参照）。
【特許文献１】特願２００４−２２２９５４号
【発明の開示】
【発明が解決しようとする課題】
【０００５】
上記構成において、ガードから容器を取外すときは容器を少し傾けると、係止部とガードの係合が外れやすくなるものであり、容器底部とガードの表面との間には少し隙間を設けた方が容器の着脱作業が行いやすいが、容器底部とガードの表面との間に隙間があると容器がガードに固定できないため、送風ファンの回転時に送風ファンやファンモータの振動が容器に伝わって容器が動き出し、振動した容器がガードにあたって音を発生させることがわかった。
【０００６】
この音の発生を防ぐために容器底部をガードの表面に密着させて容器が動かないようにすると、ガードから容器を取外すときに容器を傾けることができなくなるため、取外しの際の作業性が悪くなり、使い勝手を悪くしてしまう恐れがあった。
【０００７】
このように従来では、容器を確実に固定するために容器底部をガードの表面に密着させると容器の着脱時の作業性が悪くなり、着脱時の作業性をよくするために容器底部とガードとの間に隙間を設けると容器の固定ができなくなって音を発生させるものであり、この両方を満足する構造の芳香装置の要求がある。
【課題を解決するための手段】
【０００８】
この発明は上記の課題を解決するもので、送風ファンの風の吹出し部にはこの送風ファン方向へ物の侵入を防ぐガードを設け、このガードに芳香剤を収納した容器を着脱自在に取付けると共に、その容器には空気が流入する入口と容器内の空気が排出される開口とを形成した芳香装置であって、前記容器には前記ガードの表面に容器底部を配置するためのガードへ向けて突出した係止部を備え、前記ガードは複数本の桟によってその表面に湾曲面を形成し、前記容器底部の外面は前記ガードの表面と密着する同じ形状の湾曲面で構成すると共に、前記係止部は桟の間に挿入される２枚の平板で形成し、この平板の先端には桟方向へ突出する係止片を設け、その突出した係止片の両端が湾曲する桟に当接し、係止片の中央部が桟とは間隔を形成したことを特徴とする送風ファンの吹出し部に設置する芳香装置である。
【発明の効果】
【０００９】
この発明は、送風ファンの吹出し部に設けたガードを複数本の桟によってその表面に湾曲面を形成し、芳香剤を収納する容器にはガードの表面に容器底部を配置するための係止部を備え、この容器底部の外面をガードの表面と同じ形状の湾曲面で構成したもので、容器を吹出し部のガードに取付けて係止部が桟に係合したときに、容器底部の外面をガードの表面に密着させたから、容器を確実にガードに固定することができるものとなり、送風ファンの運転によって発生する振動が容器に伝わっても容器が動き出すことはなくなり、運転中に音を発生させることがなくなった。
【００１０】
また、前記係止部は桟の間に挿入される２枚の平板で構成し、平板の先端に桟方向へ突出する係止片を設けたものであり、該係止片は両端が湾曲する桟に当接し、中央部が桟とは間隔を形成しているから、係止片と桟との接触面積が少なくなり、ガードから容器を取外すときに係止片と桟との抵抗を小さくできたから、係止部を簡単に桟から外すことができ、容器底部がガードの表面に密着した状態でも容器を簡単に取外すことができるようになり、容器の着脱時の作業性が向上し、使い勝手のよい芳香装置が実現できた。
【発明を実施するための最良の形態】
【００１１】
図に示す実施例によってこの発明を説明すると、８は空気調和機などの既設の送風装置を備えた機器の枠体、９は枠体８の背面側に配置されて室内空気を取入れる吸込み部、２は枠体８の前面に開口によって形成した吹出し部、１０は枠体８の背面の吸込み部９から枠体８の前面の吹出し部２に向かう流路を枠体８内に形成する送風流路である。
【００１２】
１は枠体８の背面に位置する送風流路１０の入口側の吸込み部９に設けた送風ファンであり、送風ファン１を運転すると室内の空気は吸込み部９から吸込まれて送風流路１０を通過し、送風流路１０の出口側に位置する吹出し部２から吹出すものである。３は吹出し部２に設けたガードであり、該ガード３によって吹出し部２から送風ファン１を配置した送風流路１０内への物の侵入を防いでいる。
【００１３】
図１に示す実施例の送風装置は、空気清浄機を構成したもので、１１は吸込み部９の内側の送風流路１０に設けたフィルタ機構、１２は枠体８内の送風流路１０を前後に仕切る仕切板、１２ａは仕切板１２に設けた空気通過部であり、前記送風ファン１は仕切板１２より枠体前面側の送風流路１０に配置され、送風ファン１を運転すると枠体８の背面の吸込み部９から仕切板１２の空気通過部１２ａに向かう空気流を形成し、フィルタ機構１１を通過するときに空気中のゴミや埃が捕集されて清浄な空気となる。
【００１４】
１ａは送風ファン１の周囲に形成して空気流を上部に向ける送風ケーシング、１３は送風ケーシング１ａの出口と吹出し部２とを連通する誘導部であり、送風ファン１によってフィルタ機構１１を通過した空気は空気通過部１２ａから吸引して送風ケーシング１ａ内で上方に向け、送風ケーシング１ａの出口から誘導部１３を経て吹出し部２から室内に清浄空気を吹出すものである。
【００１５】
この発明は送風装置を備えた空気調和機などの送風ファン１の吹出し部２に設置する芳香装置であり、５は吹出し部２のガード３に着脱自在に取付けた芳香装置を構成する容器、４は該容器５内に収納される固体もしくは液体で構成された芳香剤であり、芳香剤４が固形の場合は芳香剤４をそのまま容器５内に収納して使用し、芳香剤４が液体の場合は布等に芳香剤４をしみこませ、これを容器５に収納して使用するものである。
【００１６】
５ｃは容器５の底板を構成する容器底部、５ｅは容器５の上板を構成する容器蓋であり、芳香剤４を収納した容器底部５ｃに容器蓋５ｅを取付けて一体の容器５を構成している。６は容器底部５ｃからガード３へ向けて突出して設けた係止部であり、係止部６がガード３と係合することで容器５をガード３の表面に取付けることができる。
【００１７】
５ａは容器５に形成した空気が流入する入口、５ｂは入口５ａから容器５内に流入した空気が排出される開口であり、送風ファン１の風が吹出し部２から吹出すと、送風ファン１の風の一部が容器５の入口５ａから容器５内に流入し、容器５内を通過して開口５ｂから容器５外に吹出すものであり、この空気流と一緒に芳香剤４の香りが開口５ｂから放出され、送風ファン１の風によって香りが拡散されて室内に広がるものである。
【００１８】
このように、送風ファン１の吹出し部２に容器５を着脱自在に取付けて芳香装置を構成したものは、容器５を簡単にガード３から取外すことで簡単に芳香剤４の交換や補充ができるものであり、また、芳香剤４の香りが枠体内に付着しにくくなるから、容器５を取外したときには吹出し部２から吹出す送風ファン１の風に芳香剤４の香りが混じることがなく、単機能の空気調和機としての運転が可能であり、送風ファンを備えた機器との兼用機としての芳香装置が実現できた。
【００１９】
３ａは前記ガード３を構成する複数本の桟、６ａは前記係止部６を形成する２枚の平板、６ｂは平板６ａの先端に設けた係止片であり、係止部６の２枚の平板６ａの外側の寸法がガード３の２本の桟３ａの内側の寸法とほぼ一致しており、平板６の先端に設けた係止片６ｂは２本の桟３ａよりも外側に位置している。
【００２０】
前記係止部６は弾性部材もしくは合成樹脂によって成形され、先端に係止片６ｂを設けた平板６ａは内側に可動できるようになっており、係止部６の先端の係止片６ｂが２本の桟３ａの内側にくるように押さえれば、２枚の平板６ａを桟３ａの間に挿入することができ、係止片６ｂが桟３ａの奥まで届くと係止片６ｂが外側に広がって桟３ａと係合するので容器５がガード３に固定される。
【００２１】
また、係止片６ｂは桟３ａと当接する部分にテーパが設けてあり、容器５を取外すときは、容器５を手前に引くと桟３ａと当接する係止部６ｂに力がかかり、テーパを設けた係止片６ｂが内側に可動して係止片６ｂが桟３ａの間に入るので容器５をガード３から取外すことができるものである。
【００２２】
上記構成において、係止片６ｂの横幅全体が桟３ａと当接する構造であると係止片６ｂと桟３ａとの接触面積が大きくなり、容器５を取外すときに係止片６ｂと桟３ａとの間の抵抗が大きくなって係止片６ｂが可動しにくくなるため、容器５を取外すときに大きな力が必要となる。
【００２３】
したがって、容器５の取外しを簡単にできるようにするためには、容器５をガード３に取付けたときに容器底部５ｃとガード３の表面との間に隙間が必要であり、容器５を取外すときに容器５を少し傾けることで係止片６ｂの片側で桟３ａと当接した状態となり、係止片６ｂと桟３ａとの接触面積が小さくなって抵抗を小さくできるので、係止片６ｂが内側に可動しやすくなって容器５を取外すことができる。
【００２４】
しかし、容器５の容器底部５ｃとガード３の桟３ａとの間に隙間を設けると容器５を確実に固定できなくなるため、送風ファン１を運転したときの送風ファン１とファンモータの駆動によって発生する振動で容器５が動き、容器５がガードに当たってカタカタという音を鳴らすことがあり、運転中に耳障りな音を発生させるものであった。
【００２５】
このような音の発生を防ぐためには、容器５をガード３に取付けたときに容器底部５ｃをガード３の表面に密着させる必要があるが、容器５を取外すときに容器５を傾けることができなくなるため、係止片６ｂと桟３ａとの接触面積が大きい状態のまま容器５を取外さなければならず、係止片６ｂを可動させるために大きな力が必要となるので、容器５が取外しにくくなってしまうものであり、容器５の確実な固定と、容器５の着脱時の作業性の両立が課題となっていた。
【００２６】
この発明は上記の課題を解決するもので、３ｂはガード３を構成する複数本の桟３ａを円弧状に湾曲した形状にし、この湾曲した桟３ａによってガード３の表面に形成した湾曲面、５ｄは容器５の容器底部５ｃの外面に形成した湾曲面であり、容器底部５ｃの湾曲面５ａはガード３の湾曲面３ｃと同じ形状となるように構成し、容器５をガード３に取付けたときに容器底部５ｃの外面がガード３の表面と密着するようになっている。
【００２７】
６ｃは係止部６の係止片６ｂの桟３ａと当接する部分に形成した平面部であり、容器５をガード３に取付けたときに、係止片６ｂの両端が湾曲する桟３ａの内側に当接し、係止片６ｂの中央部が桟３ａと間隔を形成するものである。
【００２８】
この構成によって容器５をガード３に取付けたときは、係止片６ｂの両端が桟３ａに当接すると共に、容器底部５ｃの外面がガード３の表面と密着するので、容器５を確実にガード３に固定することができるものとなり、送風ファン１の運転による振動で容器５が動くことはなくなり、耳障りな音の発生を防ぐことができるものとなった。
【００２９】
また、係止片６ｂの両端で桟３ａと当接する構成であるから、係止片６ｂと桟３ａとの接触面積を少なくでき、容器５を取外すときに大きな力を加えなくても係止片６ｂが桟３ａの内側に可動することができ、容器５を簡単に取外すことができるものであり、容器５を確実に固定するために容器底部５ｃをガード３の表面と密着させても、容器５の着脱時の作業性のよい芳香装置が実現できるものとなった。
【００３０】
なお、この発明の実施例では、ガード３の桟３ａが湾曲した形状であるので、容器底部５ｃの外面を湾曲した形状にし、係止部６の係止片６ｂを平面で構成したものであるが、ガード３の表面が平面で構成されている場合には容器底部５ｃの外面を平面で構成してガード３の表面と密着させ、係止部６の係止片６ｂを湾曲した形状にして係止片６ｂの両端が桟３ａと当接して中央部が桟３ａと間隔を形成するようにしてもよい。
【図面の簡単な説明】
【００３１】
【図１】この発明の実施例を示す送風ファンの吹出し部に設置する芳香装置である。
【図２】この発明の実施例の芳香装置を構成する容器の取付け状態を示す横断面図である。
【図３】この発明の実施例の芳香装置を構成する容器の取付け状態を示す縦断面図である。
【符号の説明】
【００３２】
１    送風ファン
２    吹出し部
３    ガード
３ａ  桟
３ｂ  湾曲面
４    芳香剤
５    容器
５ａ  入口
５ｂ  開口
５ｃ  容器底部
５ｄ  湾曲面
６    係止部
６ａ  平板
６ｂ  係止片
【図１】
2006070756.tif 000003
【図２】
2006070756.tif 000004
【図３】
2006070756.tif 000005